(57)【要約】【課題】タンポ皿がアームに対して傾いて取付けられていても、タンポ皿自体の取付角度は変更することなく、タンポを分岐管の開口端面と平行になるようにタンポ皿に対して傾けることができ、音孔を確実に閉塞し得るようにした木管楽器用タンポ機構を提供する。【解決手段】タンポ皿１１に対して台座２１をボス５０と凹陥部５１との嵌合によって傾動自在に連結する。タンポ１０を台座２１に密着させ、タンポ押え３１を台座２１に螺合してタンポ１０を台座２１とともに挾み固定する。タンポ皿１１内に接着剤２２を充填し、タンポ１０を分岐管５の開口端面５ａに押し付ける。このとき、タンポ皿１１が音孔２に対して傾いていると、台座２１が傾動して傾きを補正する。そして、タンポ１０を分岐管５の開口端面５ａに押し付けた状態で接着剤２２を固化させ、台座２１をタンポ皿１１内に固定する。【選択図】        図１
2004279585.tif 000002
【特許請求の範囲】
【請求項１】
タンポ皿と、このタンポ皿に台座を介して収納されるタンポと、このタンポを前記台座に固定するタンポ押えとを備え、前記台座を前記タンポ皿に関節継手によって連結し、前記タンポを分岐管の開口端面に押し付けた状態で前記台座を前記タンポ皿内に接着剤によって固定したことを特徴とする木管楽器用タンポ機構。
【請求項２】
請求項１記載の木管楽器用タンポ機構において、
前記関節継手は、頭部とこの頭部に続く頸部とからなりタンポ皿の内面中央に突設されたボスと、前記台座に形成され前記頭部が圧入される凹陥部と、この凹陥部の外側に螺合してタンポを前記台座とともに挾み固定するタンポ押えとで構成されていることを特徴とする木管楽器用タンポ機構。
【発明の詳細な説明】
【０００１】
【発明の属する技術分野】
本発明は、木管楽器用タンポ機構に関し、特にタンポ皿が音孔に対して傾いていてもタンポにより音孔を高い気密性をもって閉塞することができ、息漏れを防止し得るようにした木管楽器用タンポ機構に関する。
【０００２】
【従来の技術】
オーボエ、クラリネット、サクソフォン等の木管楽器は、管本体に形成した複数個の音孔を鍵機構によって作動されるタンポ機構によって選択的に開閉制御することにより所望の音孔の音を発音させるように構成されている（例えば、特許文献１〜３参照）。
【０００３】
【特許文献１】
特開平０７−１０４７４０号公報
【特許文献２】
特開平１０−１６１６４６号公報
【特許文献３】
特開２００１−１３４２６５号公報
【０００４】
図４および図５に従来の木管楽器のタンポ機構の一例を示す。これらの図において、１は木管楽器の管本体、２は管本体１に形成された音孔、３は管本体１の外周に設けられた鍵機構、４は鍵機構３によって作動されることにより前記音孔２を選択的に開閉制御するタンポ機構である。
【０００５】
前記管本体１は外周に突設した分岐管５を備え、これにより音孔２を形成している。鍵機構３は、管本体１の外周に立設した支柱６によって軸支され図示しないキー（鍵）により回動される連管７と、この連管７にアーム８を介して取付けられた前記タンポ機構４と、前記連管７を介してタンポ機構４に閉方向の回動習性を付与する図示しないばね等で構成されている。
【０００６】
前記タンポ機構４は、音孔２を開閉するタンポ１０と、このタンポ１０を収納するタンポ皿１１と、前記タンポ１０の表面を押圧する押圧板１２と、この押圧板１２を前記タンポ皿１１内に設けた雌ねじ１３に固定する止めねじ１４等で構成されている。
【０００７】
前記タンポ１０は、音孔２を確実に閉塞しないと息漏れにより音高、音量、音色等が変化して安定した演奏音が得られなくなることから、高い気密性と耐久性が要求される。また、分岐管５によく馴染み軽快なタッチ感が得られるものであることも要求される。このため、タンポ１０は、通常通気性を有する心材１０ａと、気密性を有し前記心材１０ａを覆う被覆材１０ｂとで構成されている。心材１０ａとしては、一般に圧縮成形されたフェルト板と台紙を重ね合わせたものが用いられる。被覆材１０ｂとしては、通常スキン（羊や小牛などの皮革）、ブラダー（羊や山羊などの内蔵表皮）等が用いられる。なお、１５はタンポ１０の裏面に接着された台紙である。
【０００８】
前記タンポ皿１１は、通常ステンレス等の薄い金属板を絞り加工によって塑性変形させることにより浅底のカップ状に形成され、内面中央に前記雌ねじ１３がロー付け、半田付け等によって固定されている。
【０００９】
このようなタンポ機構４において、アーム８に対するタンポ皿１１の取付け角度が不適切で、タンポ皿１１が音孔２に対して傾いた状態でアーム８に取付けられている場合は、タンポ１０も傾くため、キー操作したときタンポ１０が分岐管５の開口端面５ａの全周にわたって密着せず傾き側とは反対側において隙間ができ、この隙間から息が漏れて所定の音高の音を発音させることができなくなる。
【００１０】
そこで、このような問題を解決するために、例えばタンポ皿内に未硬化の合成樹脂を注入するとともに、タンポを発泡樹脂からなる台座とともにタンポ皿内に収納し、前記タンポを分岐管の開口端面に押し付けて台座を圧縮させ、この状態で内部の合成樹脂を硬化させることにより、タンポおよび台座をタンポ皿に固定するようにしたタンポ機構が知られている（例えば、特許文献４参照）。このようなタンポ機構によればタンポを分岐管の開口端面に押し付けたとき、タンポ皿が音孔に対して傾いていると台座が傾き側において大きく圧縮変形してタンポをタンポ皿に対して傾けるため、タンポを分岐管の開口端面の全周にわたって密着させることができる。
【００１１】
【特許文献４】
特開２００１−１４２４５８号公報
【００１２】
また、他の解決方法として図６や図７に示すタンポ機構も知られている。
【００１３】
図６に示すタンポ機構は、タンポ皿１１の傾きにより息漏れが生じる側に調整用台紙１８を組込んでタンポ１０を嵩上げすることにより、タンポ１０を分岐管の開口端面５ａと平行になるように調整している。なお、θはタンポ皿１１の傾き角度である。
【００１４】
図７に示すタンポ機構は、タンポ皿１１の内面中央部と台座２１の裏面、すなわちタンポ１０側とは反対側の面をそれぞれ凸状の球面に形成して略点接触させることにより、台座２１をタンポ皿１１内に全方向に傾動可能に収納し、タンポ１０を分岐管５の開口端面５ａに押し付けた状態で台座２１を接着剤２２によりタンポ皿１１内に固定している（特許文献５参照）。
【００１５】
【特許文献５】
特願２００２−２２９４６２号
【００１６】
さらに、他の解決方法として、カップ（タンポ皿）の内面中央に球体を有する支持プレートを固定し、パッドの表面中央部を支持するリベットの頭部に球状の凹部を形成し、前記球体を凹部に摺動自在に嵌合することによりこれらによって前記パットを前記カップに対して全方向に傾動可能に支持するヒンジ（ボールジョイント）を構成し、支持プレートに固設した爪部材によってリベットの回転を防止するようにしたタンポ機構が知られている（特許文献６参照）。
【００１７】
【特許文献６】
特公平３−５０２７８号公報
【００１８】
なお、出願人は本明細書に記載した先行技術文献情報で特定される先行技術文献以外には、本発明に密接に関連する先行技術文献を出願時までに発見するには至らなかった。
【００１９】
【発明が解決しようとする課題】
しかしながら、上記した従来のタンポ機構はいずれも一長一短があり、未だ改良の余地があった。すなわち、図６に示すタンポ機構４は、タンポ皿１１が音孔２に対して傾いていると、止めねじ１４を雌ねじ１３にねじ込んで押圧板１２をタンポ１０に押し付けたとき、押圧板１２自体はタンポ皿１１に対して傾かず、タンポ皿６の傾き側がタンポ１０の表面から離間し、傾き側とは反対側外周縁部がタンポ１０に対して片当たりして食い込む。このため、押圧板１２が食い込んでいるタンポ部分１６が凹んで分岐管５の開口端面５ａとの間に隙間１７が生じ、ここから息漏れする。
【００２０】
そこで、従来は、タンポ皿１１のアーム８に対する取付角度を粗調整した後、調整用台紙１８の厚さや枚数を変えたり位置を調整するなど試行錯誤を繰り返す微調整により、タンポ１０が分岐管５の開口端面５ａに対して片当たりしないようにしている。しかしながら、このような粗調整および微調整は面倒で熟練を要する割には、音孔２からの息漏れを完全には防止することができないという問題があった。
また、押圧板１２が片当たりするタンポ部分１６に応力が集中するため、被覆材１０ｂが破断したりしてタンポ１０の性能、耐久性を低下させる。
【００２１】
上記した特開２００１−１４２４５８号公報に記載されたタンポ機構は、図６に示した構造と調整用台紙１８の代わりに圧縮変形可能な発泡樹脂からなる台紙を用いている点が異なるだけでその他の構造は略同一であるため、同様な問題があった。
【００２２】
図７に示すタンポ機構は、接着剤２２によって台座２１をタンポ皿２３に固定しているだけであるため、接着剤２２が劣化して剥離すると、タンポ皿１１からタンポ１０が台座２１とともに脱落するという問題があった。
【００２３】
上記した特公平３−５０２７８号公報に記載されたタンポ機構は、タンポが音孔に対して傾いていると、作動したときパッドが音孔を瞬時に閉塞することができず、開口端面に対して徐々に当たって音孔を閉塞するため音の切れが悪い。また、リベットに設けた円板状の共鳴片（レゾネータ）によってタンポを支持しているため、パッドを音孔の開口端面に押し付けたとき、共鳴片が撓んで外周縁がパッドの表面を形成している被膜に食い込みパッドの耐久性を低下させるという問題があった。
【００２４】
本発明は上記した従来の問題を解決するためになされたもので、その目的とするところは、タンポ皿がアームに対して傾いて取付けられていても、タンポ皿自体の取付角度は変更することなく、タンポを分岐管の開口端面と平行になるようにタンポ皿に対して傾けることができ、またタンポ押えがタンポに対して片当たりしたり、タンポが台座とともにタンポ皿から脱落したりするおそれがなく、音孔を確実に閉塞し得るようにした木管楽器用タンポ機構を提供することにある。
【００２５】
【課題を解決するための手段】
上記目的を達成するために第１の発明は、タンポ皿と、このタンポ皿に台座を介して収納されるタンポと、このタンポを前記台座に固定するタンポ押えとを備え、前記台座を前記タンポ皿に関節継手によって連結し、前記タンポを分岐管の開口端面に押し付けた状態で前記台座を前記タンポ皿内に接着剤によって固定したものである。
【００２６】
第１の発明においては、タンポ皿が音孔に対して傾いている場合、タンポを分岐管の開口端面に押し付けると、台座がタンポ皿に対して傾動して傾きが補正され、開口端面と平行になる。したがって、タンポは開口端面に対して片当たりすることがなく、音孔を確実に閉塞し息漏れを防止する。タンポの分岐管に対する傾きを補正した後、接着剤は台座をタンポ皿に固定する。
【００２７】
第２の発明は、上記第１の発明において、関節継手を、頭部とこの頭部に続く頸部とからなりタンポ皿の内面中央に突設されたボスと、前記台座に形成され前記頭部が圧入される凹陥部と、この凹陥部の外側に螺合してタンポを前記台座とともに挟み固定するタンポ押えとで構成したものである。
【００２８】
第２の発明において、タンポ押えは台座に螺合して台座と平行を保ち、台座とともにタンポを挟持する。したがって、タンポ押えがタンポに対して片当たりして食い込んだりすることがなく、タンポの変形を防止することができる。
【００２９】
【発明の実施の形態】
以下、本発明を図面に示す実施の形態に基づいて詳細に説明する。
図１は本発明に係る木管楽器用タンポ機構の断面図、図２は同タンポ機構の分解断面図、図３（ａ）、（ｂ）はタンポ皿が音孔に対して傾いている状態を示す断面図および台座の傾きを補正した状態を示す断面図である。なお、従来技術の欄で示した構成部材等と同一のものについては同一の符号をもって示し、その説明を適宜省略する。
【００３０】
全体を符号３０で示すタンポ機構は、音孔２を閉塞するタンポ１０と、タンポ１０および台座２１を収納するタンポ皿１１と、タンポ１０を押圧し台座２１に固定するタンポ押え３１等を備えている。前記台座２１はタンポ皿１１内に関節継手３２によって全方向に傾動自在に収納されることにより、タンポ１０および台座２１の音孔２に対する傾きを補正した後、エポキシ系樹脂等の接着剤２２によってタンポ皿１１内に固定される。
【００３１】
前記タンポ皿１１は、ステンレス等の金属板の絞り加工によって浅底のカップ状に形成されることにより、円板部１１Ａと、この円板部１１Ａの外周に一体に突設された円筒部１１Ｂとで構成されている。円板部１１Ａは、中央に形成された内側に凸となる球状凸部３３と、この球状凸部３３の外周を取り囲む内側に凸の環状凸部３４と、この環状凸部３４と前記円筒部１１Ｂとを接続する外周に向かってなだらかに傾斜する環状傾斜部３５とで構成されている。球状凸部３３の頂部Ｐ１  は、環状凸部２４の頂部Ｐ２  、および環状傾斜部３５と円筒部１１Ｂとの接続部Ｐ３  よりもタンポ皿１１の開口部側に位置している。
【００３２】
前記台座２１は、ＡＢＳ樹脂等の合成樹脂によって一体に形成されることにより、タンポ１０より若干外径が小さい円板部２１Ａと、この円板部２１Ａの表面、すなわちタンポ１０が密着する面３７の中央に一体に突設された円筒部２１Ｂとで構成され、前記タンポ皿１１の内面と対向する裏面３８の中央には前記円筒部２１Ｂの形成により凹陥部５１が形成されている。円板部２１Ａの表面３７は平坦面に形成され、裏面３８は中央部が平坦面で、前記タンポ皿１１の環状凸部３４と略対向する径方向中間部から外周縁に向かって板厚が徐々に減少するように傾斜している。前記円筒部２１Ｂは、先端面が閉塞し、外周面には雄ねじ４１が形成されている。
【００３３】
前記タンポ押え３１はステンレス等の金属によって一体に形成され、内面に前記台座２１の雄ねじ４１に螺合する雌ねじ４３が形成された円筒部３１Ａと、この円筒部３１Ａの閉塞端側外周面に一体に突設され前記タンポ１０の表面を押圧するフランジ３１Ｂとで構成されている。円筒部３１Ａの外径は、前記タンポ１０の内径より若干小さく設定されている。フランジ３１Ｂの表面中央にはドライバによる回転を可能にするマイナスの溝４４が形成されている。
【００３４】
前記タンポ１０は、前記タンポ皿１１の内径より若干小さい外径と、前記タンポ押え３１の円筒部３１Ａの外径より若干大きい内径を有するリング状に形成され、前記タンポ押え３１のフランジ部３１Ｂによって台座２１の表面３７に押し付けられている。
【００３５】
前記関節継手３２は、前記タンポ皿１１の内面中央に突設したボス５０と、前記台座２１の裏面中央に形成した凹陥部５１と、前記台座２１の凹陥部外周（円筒部２１Ｂの外周）に螺合する前記タンポ押え３１とで構成されている。
【００３６】
前記ボス５０は、ステンレス等によって形成され、頭部５０Ａと、この頭部５０Ａに続く円柱状の頸部５０Ｂとで構成されている。頭部５０Ａは、基端側が前記頸部５０Ｂと同径で、先端に向かって拡径する逆截頭円錐台形状に形成され、かつ先端面が凸状の球面５２に形成されている。このため、頭部５０Ａと頸部５０Ｂとの接続部は括れ部５４を形成している。このようなボス５０は、タンポ皿１１の内面中央にロウ付け等によって接合されている。
【００３７】
前記凹陥部５１は、内奥に向かって内径が徐々に拡大するテーパ状の穴からなり、またこの凹陥部５１の開口部には外側に向かって拡径するテーパ状の開口部５６が形成されている。テーパ状開口部５６の小径側内径は、前記頭部５０Ａの最大外径より小さく設定されている。凹陥部５１の底面５７は平坦面に形成されている。
【００３８】
このような構造からなるタンポ機構３０の組付けに際しては、台座２１をタンポ皿１１内に収納してボス５０の頭部５０Ａを凹陥部５１に圧入する。このとき、円筒部２１Ｂは拡径方向に弾性変形して頭部５０Ａの圧入を可能にする。頭部５０Ａは凹陥部５１内に圧入されると、全方向に傾動可能で、括れ部５４にテーパ状開口部５６の小径部５８が係合することにより凹陥部５１からの抜けが防止される。
【００３９】
次ぎに、タンポ１０を台座２１の表面３７に密接し、タンポ押え３１を雄ねじ４１と雌ねじ４３の螺合によって台座２１の円筒部２１Ｂに取付け、フランジ３１Ｂによってタンポ１０を台座２１の表面３７に押し付ける。これにより、台座２１とタンポ押え３１は平行を保ちタンポ１０を挟持する。
【００４０】
次に、タンポ皿１１内に未硬化の接着剤２２を充填してタンポ１０を分岐管５の開口端面５ａに押し付け、接着剤２２が完全に固化するまでこの状態を保持し、固化すると台座２１がタンポ皿１１内に固定され、もってタンポ機構３０の組付けを完了する。
【００４１】
このように、タンポ１０を音孔２を形成する分岐管５の開口端面５ａに押し付けた状態で台座２１を接着剤２２によってタンポ皿１１に固定すると、アーム８（図４参照）に対するタンポ皿１１の取付け角度が不適切で、図３（ａ）に示すようにタンポ皿１１が音孔２に対して角度θだけ傾いている場合であっても、タンポ１０を開口端面５ａに片当たりすることがなく全周にわたって接触させることができる。すなわち、タンポ皿１１は予めアーム８にロー付けされているため、分岐管５に対して角度調整することはできないが、タンポ１０を分岐管５の開口端面５ａに押し付けると、接着剤２２が固化するまでの間は台座２１がボス５０を支点として傾動し得るため、図３（ｂ）に示すようにタンポ皿１１の傾き方向とは反対方向（矢印Ａ方向）に傾動してタンポ１０を開口端面５ａの全周にわたって密着させる。そして、この状態で接着剤２２が固化すると、音孔２に対する台座２１の傾きが補正される。したがって、タンポ１０によって音孔２を高い気密性をもって確実に閉塞することができ、息漏れが発生せず安定した演奏音が得られる。
【００４２】
また、台座２１はタンポ皿１１に対して関節継手３２によって連結されているので、接着剤２２が劣化して剥離しても、タンポ皿１１から脱落することがない。
【００４３】
また、タンポ押え３１は台座２１に対して平行で、タンポ１０を台座２１とともに挟持した状態で台座２１と一体に傾動するため、タンポ１０に対して傾いて片当たりしたり食い込んだりすることがなく、タンポ１０の表面を覆っている被覆材１０ｂの破断を防止することができる。したがって、上記した特公平３−５０２７８号公報に記載されているタンポ機構に比べてタンポ１０の耐久性が向上し、楽器の性能を長期にわたって安定に維持することができる。
【００４４】
さらに、タンポ皿１１自体の音孔２に対する傾きを粗調整したり、調整用台紙を用いてタンポ１０を微調整したりする必要もないので、タンポ機構３０の取付け、音孔２への合わせ作業が著しく簡単かつ容易で熟練を必要としない。
【００４５】
なお、上記した実施の形態においては、ボス５０の頭部５０Ａを逆截頭円錐形に形成したが、これに限らず球状に形成し、凹陥部５１を球状の穴に形成してもよい。
【００４６】
【発明の効果】
以上説明したように本発明に係る木管楽器用タンポ機構は、台座をタンポ皿に対して関節継手によって連結し、接着剤によって固定するように構成したので、タンポ皿が音孔に対して傾いている場合であっても、接着剤が固化する前にタンポを分岐管の開口端面に押し付けて台座を傾動させると、音孔に対してタンポおよび台座の傾きを補正することができる。したがって、この状態で接着剤が固化して台座をタンポ皿の内面に固定すると、タンポが分岐管の開口端面の全周にわたって密着するため、音孔を高い気密性をもって確実に閉塞することができ、息漏れが発生せず安定した演奏音が得られ、楽器の性能を向上させることができる。
また、関節継手によってタンポ皿と台座を連結しているので、接着剤が劣化して剥離しても台座がタンポ皿から脱落するおそれがない。
【図面の簡単な説明】
【図１】本発明に係る木管楽器用タンポ皿の一実施の形態を示す断面図である。
【図２】同タンポ機構の分解断面図である。
【図３】（ａ）はタンポ皿が音孔に対して傾いている状態を示す断面図、（ｂ）は台座の傾きを補正した状態を示す断面図である。
【図４】木管楽器の鍵機構を示す斜視図である。
【図５】木管楽器用タンポ機構の従来例を示す断面図である。
【図６】タンポがタンポ皿に対して傾いている他の従来例を示す断面図である。
【図７】タンポ機構のさらに他の従来例を示す断面図である。
【符号の説明】
１…楽器本体、２…音孔、３…鍵機構、４…タンポ機構、５…分岐管、５ａ…開口端面、１０…タンポ、１１…タンポ皿、１２…押圧板、１３…雌ねじ、１４…止めねじ、１８…調整用台紙、２０…タンポ機構、２１…台座、２２…接着剤、３０…タンポ機構、３１…タンポ押え、３２…関節継手、５０…ボス、５０Ａ…頭部、５０Ｂ…頸部、５１…凹陥部、５６…テーパ状開口部。
【図１】
2004279585.tif 000003
【図２】
2004279585.tif 000004
【図３】
2004279585.tif 000005
【図４】
2004279585.tif 000006
【図５】
2004279585.tif 000007
【図６】
2004279585.tif 000008
【図７】
2004279585.tif 000009